(57)【特許請求の範囲】
【請求項１】
上下方向に隣り合う二つのスラブを繋ぐように延びる縦長の外装パネルを千鳥状に複数具備し、
前記スラブの鼻先には平面視ジグザグ状の凹凸が設けられ、この凹凸の位相は上下方向に隣り合うスラブで逆となるようにしてあり、
該外装パネルは、その長手方向に沿って延びる折曲部分を複数有する金属板である正面視三角形状の三角パネルと正面視逆三角形状の逆三角パネルとを組み合わせて構成され、上下方向に隣り合う二つのスラブの鼻先にそれぞれ沿うように平面視においてその上部と下部が相互に異なる方向に向き、かつ、スラブに設けられた支持構造によりスラブ付近に位置する部分のみが支持されていることを特徴とする建物。
【請求項２】
前記外装パネルとして、
所定階のスラブの鼻先の凹部の左半分に沿って上部が支持され、その一つ下の階のスラブの鼻先の凸部の左半分に沿って下部が支持され、上下方向における中央部は、左右方向における中央が外方に突出する山状になっている第１山パネルと、
所定階のスラブの鼻先の凸部の右半分に沿って上部が支持され、その一つ下の階のスラブの鼻先の凹部の右半分に沿って下部が支持され、上下方向における中央部は、左右方向における中央が外方に突出する山状になっている第２山パネルと、
所定階のスラブの鼻先の凸部の左半分に沿って上部が支持され、その一つ下の階のスラブの鼻先の凹部の左半分に沿って下部が支持され、上下方向における中央部は、左右方向における中央が内方に後退する谷状になっている第１谷パネルと、
所定階のスラブの鼻先の凹部の右半分に沿って上部が支持され、その一つ下の階のスラブの鼻先の凸部の右半分に沿って下部が支持され、上下方向における中央部は、左右方向における中央が内方に後退する谷状になっている第２谷パネルとが組み合わされて配置されている請求項１に記載の建物。
【請求項３】
各外装パネルの正面視は、左右両辺が鉛直方向に延びる右肩上がりの平行四辺形の下辺から上辺にわたって左肩上がりのスリットが延びる形状を呈し、前記三角パネルと、正面視平行四辺形状の四角パネルと、前記逆三角パネルとを、左側からこの順に並ぶように一体化して外装パネルを構成してあり、前記三角パネル及び前記逆三角パネルよりも後退させてある前記四角パネルの位置する部分にスリットが形成されている請求項１又は２に記載の建物。
【請求項４】
前記外装パネルによって覆われない縦長の領域を設け、該領域にプランターを配置してあり、前記三角パネル及び前記逆三角パネルをパンチングメタルによって構成してある請求項１〜３の何れか一項に記載の建物。
【発明の詳細な説明】
【技術分野】
【０００１】
本発明は、例えば、大型の外装パネルを複数具備した建物に関する。
【背景技術】
【０００２】
建物の壁面への外装パネルの取り付けに関し、これまで種々の方法が提案されている。例えば特許文献１に示されている建物壁面化粧用金属パネルの貼着構造および貼着法では、金属パネル（外装パネル）を下地材に向けて押しつけるなどの簡単な差し込み式操作により、金属パネルを壁面に固定、貼着することができる、とされている。
【先行技術文献】
【特許文献】
【０００３】
【特許文献１】特開２００４−２１８２３８号公報
【発明の概要】
【発明が解決しようとする課題】
【０００４】
しかし、大型の外装パネルを建物に取り付けるには、従来、縦横に延びる下地が用いられており、斯かる大掛かりな下地は、建物への荷重負担や施工性向上の妨げになるといった問題がある。
【０００５】
本発明は上述の事柄に留意してなされたもので、その目的は、外装パネルの設置に関する荷重負担の軽減や施工性の向上を図ることのできる建物を提供することにある。
【課題を解決するための手段】
【０００６】
上記目的を達成するために、本発明に係る建物は、上下方向に隣り合う二つのスラブを繋ぐように延びる縦長の外装パネルを千鳥状に複数具備し、前記スラブの鼻先には平面視ジグザグ状の凹凸が設けられ、この凹凸の位相は上下方向に隣り合うスラブで逆となるようにしてあり、該外装パネルは、その長手方向に沿って延びる折曲部分を複数有する金属板である正面視三角形状の三角パネルと正面視逆三角形状の逆三角パネルとを組み合わせて構成され、上下方向に隣り合う二つのスラブの鼻先にそれぞれ沿うように平面視においてその上部と下部が相互に異なる方向に向き、かつ、スラブに設けられた支持構造によりスラブ付近に位置する部分のみが支持されている（請求項１）。
【０００７】
上記建物において、前記外装パネルとして、所定階のスラブの鼻先の凹部の左半分に沿って上部が支持され、その一つ下の階のスラブの鼻先の凸部の左半分に沿って下部が支持され、上下方向における中央部は、左右方向における中央が外方に突出する山状になっている第１山パネルと、所定階のスラブの鼻先の凸部の右半分に沿って上部が支持され、その一つ下の階のスラブの鼻先の凹部の右半分に沿って下部が支持され、上下方向における中央部は、左右方向における中央が外方に突出する山状になっている第２山パネルと、所定階のスラブの鼻先の凸部の左半分に沿って上部が支持され、その一つ下の階のスラブの鼻先の凹部の左半分に沿って下部が支持され、上下方向における中央部は、左右方向における中央が内方に後退する谷状になっている第１谷パネルと、所定階のスラブの鼻先の凹部の右半分に沿って上部が支持され、その一つ下の階のスラブの鼻先の凸部の右半分に沿って下部が支持され、上下方向における中央部は、左右方向における中央が内方に後退する谷状になっている第２谷パネルとが組み合わされて配置されていてもよい（請求項２）。
【０００８】
上記建物において、各外装パネルの正面視は、左右両辺が鉛直方向に延びる右肩上がりの平行四辺形の下辺から上辺にわたって左肩上がりのスリットが延びる形状を呈し、前記三角パネルと、正面視平行四辺形状の四角パネルと、前記逆三角パネルとを、左側からこの順に並ぶように一体化して外装パネルを構成してあり、前記三角パネル及び前記逆三角パネルよりも後退させてある前記四角パネルの位置する部分にスリットが形成されていてもよい（請求項３）。
【０００９】
上記建物において、前記外装パネルによって覆われない縦長の領域を設け、該領域にプランターを配置してあり、前記三角パネル及び前記逆三角パネルをパンチングメタルによって構成してあってもよい（請求項４）。
【発明の効果】
【００１０】
本願発明では、外装パネルの設置に関する荷重負担の軽減や施工性の向上を図ることのできる建物が得られる。
【００１１】
すなわち、本願の各請求項に係る発明の建物では、その長手方向に沿って延びる折曲部分を複数有する金属板によって外装パネルを構成し、外装パネルの強度を確保し、スラブに設けた支持構造のみによって外装パネルを支持することを可能としてあり、斯かる支持構造により、上下方向にわたって延びる下地の骨組が不要となり、これにより、建物への荷重軽減及び施工性向上を図ることができる。
【００１２】
請求項２に係る発明の建物では、横断面形状が外方に凸の外装面を構成する外装パネル（第１山パネル、第２山パネル）と、横断面形状が外方に凹の外装面を構成する外装パネル（第１谷パネル、第２谷パネル）とを組み合わせて配置することにより、日差しの変化等に伴い建物が多様でランダムな外観を呈するようにすることができる。一般に、ランダムな外観を採用すると構造が複雑になり、施工合理性が低くなるが、本発明では、構造自体をランダムとはしていないので、施工合理性が低くなるようなことはない。その上、外装パネルの凹凸・立体感により、パネルの色や面精度等のばらつき・ムラに関して許容され得る範囲が広がり、製品合格率が上がり、経済的合理性を高めることも可能となる。
【００１３】
請求項１に係る発明の建物では、外装面とスラブの鼻先の凹凸を対応させることで、外装面の支持構造の複雑化を抑え、ひいては簡略化を図ることができ、低コスト化も期待することができる。
【００１４】
請求項４に係る発明の建物では、少数・小型のプランターで効率よく緑化や装飾性の向上を図ることができる。
【図面の簡単な説明】
【００１５】
【図１】（Ａ）〜（Ｃ）は、本発明の一実施の形態に係る建物の構成を概略的に示す正面図、側面図及び横断面図である。
【図２】前記建物の要部の構成を概略的に示す正面図である。
【図３】（Ａ）〜（Ｄ）は、前記建物の要部の構成を概略的に示す正面図、左側面図、右側面図及び横断面図である。
【図４】（Ａ）〜（Ｃ）は、第１山パネル及び第１谷パネルの上部、中央部及び下部の構成を概略的に示す横断面図、（Ｄ）〜（Ｆ）は、第２山パネル及び第２谷パネルの上部、中央部及び下部の構成を概略的に示す横断面図である。
【図５】各外装パネルの構成を概略的に示す斜視図である。
【図６】（Ａ）は第１山パネルの上部左側の構成を概略的に示す横断面図、（Ｂ）は（Ａ）のＡ矢視図である。
【図７】（Ａ）は第１山パネルの上部右側の構成を概略的に示す横断面図、（Ｂ）は（Ａ）のＡ矢視図である。
【図８】（Ａ）は第１山パネルの下部左側の構成を概略的に示す横断面図、（Ｂ）は（Ａ）のＡ矢視図である。
【図９】（Ａ）は第１山パネルの下部右側の構成を概略的に示す横断面図、（Ｂ）は（Ａ）のＡ矢視図である。
【図１０】（Ａ）は第２山パネルの上部左側の構成を概略的に示す横断面図、（Ｂ）は（Ａ）のＡ矢視図である。
【図１１】（Ａ）は第２山パネルの上部右側の構成を概略的に示す横断面図、（Ｂ）は（Ａ）のＡ矢視図である。
【図１２】（Ａ）は第２山パネルの下部左側の構成を概略的に示す横断面図、（Ｂ）は（Ａ）のＡ矢視図である。
【図１３】（Ａ）は第２山パネルの下部右側の構成を概略的に示す横断面図、（Ｂ）は（Ａ）のＡ矢視図である。
【図１４】（Ａ）は第１谷パネルの上部左側の構成を概略的に示す横断面図、（Ｂ）は（Ａ）のＡ矢視図である。
【図１５】（Ａ）は第１谷パネルの上部右側の構成を概略的に示す横断面図、（Ｂ）は（Ａ）のＡ矢視図である。
【図１６】（Ａ）は第１谷パネルの下部左側の構成を概略的に示す横断面図、（Ｂ）は（Ａ）のＡ矢視図である。
【図１７】（Ａ）は第１谷パネルの下部右側の構成を概略的に示す横断面図、（Ｂ）は（Ａ）のＡ矢視図である。
【図１８】（Ａ）は第２谷パネルの上部左側の構成を概略的に示す横断面図、（Ｂ）は（Ａ）のＡ矢視図である。
【図１９】（Ａ）は第２谷パネルの上部右側の構成を概略的に示す横断面図、（Ｂ）は（Ａ）のＡ矢視図である。
【図２０】（Ａ）は第２谷パネルの下部左側の構成を概略的に示す横断面図、（Ｂ）は（Ａ）のＡ矢視図である。
【図２１】（Ａ）は第２谷パネルの下部右側の構成を概略的に示す横断面図、（Ｂ）は（Ａ）のＡ矢視図である。
【図２２】（Ａ）は変形例に係る第１山パネルの上部左側の構成を概略的に示す横断面図、（Ｂ）は（Ａ）のＡ矢視図である。
【図２３】（Ａ）は変形例に係る第１山パネルの上部右側の構成を概略的に示す横断面図、（Ｂ）は（Ａ）のＡ矢視図である。
【図２４】（Ａ）は変形例に係る第１山パネルの下部左側の構成を概略的に示す横断面図、（Ｂ）は（Ａ）のＡ矢視図である。
【図２５】（Ａ）は変形例に係る第１山パネルの下部右側の構成を概略的に示す横断面図、（Ｂ）は（Ａ）のＡ矢視図である。
【発明を実施するための形態】
【００１６】
本発明の実施の形態について図面を参照しながら以下に説明する。
【００１７】
図１（Ａ）及び（Ｂ）に示す本実施形態の建物は、高層建築物であり、図２、図３（Ａ）〜（Ｃ）にも示すように、上下方向に隣り合う二つのスラブ１を繋ぐように延びる縦長の外装パネル２を千鳥状に複数具備している。
【００１８】
ここで、図１（Ｃ）及び図３（Ｄ）に示すように、スラブ１の鼻先には平面視ジグザグ状の凹凸が設けられ、この凹凸の位相は上下方向に隣り合うスラブ１で逆となるようにしてある。すなわち、図１（Ｃ）及び図３（Ｄ）には、所定階のスラブ１の鼻先を実線で、その一つ下の階のスラブ１の鼻先を破線で示してあり、所定階のスラブ１の鼻先が凹になっている（内側に凹んでいる）位置では、その一つ下の階のスラブ１の鼻先は凸になっており（外側に出っ張っており）、所定階のスラブ１の鼻先が凸になっている（外側に出っ張っている）位置では、その一つ下の階のスラブ１の鼻先は凹になっている（内側に凹んでいる）。
【００１９】
一方、各外装パネル２の正面視は、図１（Ａ）及び図２に示すように、左右両辺が鉛直方向に延びる右肩上がりの平行四辺形の下辺から上辺にわたって左肩上がりのスリット３が延びる形状を呈する。具体的には、図３（Ａ）及び（Ｄ）に示すように、正面視三角形状の三角パネル４と、正面視平行四辺形状の四角パネル５と、正面視逆三角形状の逆三角パネル６とを、左側からこの順に並ぶように一体化して外装パネル２を構成してあり、三角パネル４及び逆三角パネル６よりも後退させてある四角パネル５の位置する部分にスリット３が形成されている。
【００２０】
そして、本例の外装パネル２は、図２、図３（Ａ）、図４、図５に示すように、第１山パネル２Ａ、第２山パネル２Ｂ、第１谷パネル２Ｃ及び第２谷パネル２Ｄの計４種類ある。
【００２１】
すなわち、第１山パネル２Ａは、図４（Ａ）及び図５に示すように、所定階のスラブ１の鼻先の凹部７の左半分に沿って上部が支持され、図４（Ｃ）及び図５に示すように、その一つ下の階のスラブ１の鼻先の凸部８の左半分に沿って下部が支持され、上下方向における中央部は、図４（Ｂ）に示すように左右方向における中央が外方に突出する山状になっている。なお、図４では、便宜上、スラブ１の鼻先のうち、凹部７を細線で、凸部８を太線で描いて両者７，８を区別している。
【００２２】
第２山パネル２Ｂは、図４（Ｄ）及び図５に示すように、所定階のスラブ１の鼻先の凸部８の右半分に沿って上部が支持され、図４（Ｆ）及び図５に示すように、その一つ下の階のスラブ１の鼻先の凹部７の右半分に沿って下部が支持され、上下方向における中央部は、図４（Ｅ）に示すように左右方向における中央が外方に突出する山状になっている。
【００２３】
第１谷パネル２Ｃは、図４（Ａ）及び図５に示すように、所定階のスラブ１の鼻先の凸部８の左半分に沿って上部が支持され、図４（Ｃ）及び図５に示すように、その一つ下の階のスラブ１の鼻先の凹部７の左半分に沿って下部が支持され、上下方向における中央部は、図４（Ｂ）に示すように左右方向における中央が内方に後退する谷状になっている。
【００２４】
第２谷パネル２Ｄは、図４（Ｄ）及び図５に示すように、所定階のスラブ１の鼻先の凹部７の右半分に沿って上部が支持され、図４（Ｆ）及び図５に示すように、その一つ下の階のスラブ１の鼻先の凸部８の右半分に沿って下部が支持され、上下方向における中央部は、図４（Ｅ）に示すように左右方向における中央が内方に後退する谷状になっている。
【００２５】
このように、本実施形態では、横断面形状が外方に凸の外装面を構成する外装パネル（第１山パネル２Ａ、第２山パネル２Ｂ）と、横断面形状が外方に凹の外装面を構成する外装パネル（第１谷パネル２Ｃ、第２谷パネル２Ｄ）とを組み合わせて配置することにより、日差しの変化等に伴い建物が多様でランダムな外観を呈するようにすることができる。一般に、ランダムな外観を採用すると構造が複雑になり、施工合理性が低くなるが、本実施形態では、構造自体をランダムとはしていないので、施工合理性が低くなるようなことはない。その上、各外装パネル２の凹凸・立体感により、パネルの色や面精度等のばらつき・ムラに関して許容され得る範囲が広がり、製品合格率が上がり、経済的合理性を高めることも可能となる。
【００２６】
斯かる効果は、図３（Ａ）に示すように、各外装パネル２を構成する三角パネル４、四角パネル５及び逆三角パネル６を、電気的・化学的着色方法（二次電解着色）によりながら、四角パネル５はグレーに着色し、三角パネル４及び逆三角パネル６はシルバー、ライトグレー及びその中間色に適宜塗り分けし、製品としてあえて安定しない上記中間色をも用いることにより、焼き物のような製品ムラを出して配色に深みを持たせてあること、各三角パネル４及び逆三角パネル６を構成するパンチングメタルのパンチング穴を一律とせず、外方に位置するものほど大きく、内方に位置するものほど小さくなるようにしてある（穴の大きさにグラデーションをつけてある）こと、及び、建物の外壁（外装パネル２の内側に設けられる二次外壁）を一色（単調なグレー）とせず、上下に濃淡（グラデーション）をつけてあることによっても高まる。なお、三角パネル４、逆三角パネル６、建物外壁等の色の種類や数は適宜変更可能である。
【００２７】
また、各外装パネル２は、その長手方向に沿って延びる折曲部分を複数有する金属板（例えばアルミニウムパネル）によって構成され、かつ、スラブ１に設けられた支持構造によりスラブ１付近に位置する部分のみが支持されている。この点につき、以下に詳述する。
【００２８】
まず、各外装パネル２を構成する三角パネル４及び逆三角パネル６は、ボルト・ナットの締結具９により、四角パネル５を介して一体化されている（図６（Ａ）、図９（Ａ）等参照）。
【００２９】
なお、三角パネル４、四角パネル５、逆三角パネル６は各々、前面部４ａ、５ａ、６ａと、その左右から後方に延びる左面部４ｂ、５ｂ、６ｂ及び右面部４ｃ、５ｃ、６ｃとを有する（図６（Ａ）、図７（Ａ）、図８（Ａ）、図９（Ａ）参照）。そして、三角パネル４の前面部４ａは正面視略三角形状、四角パネル５の前面部５ａは正面視略平行四辺形状、逆三角パネル６の前面部６ａは正面視略逆三角形状を呈する。また、三角パネル４の左面部４ｂは右面部４ｃよりも後方にまで延び、その後端には前面部４ａの後方に回り込む背面部４ｄが設けられている（図６（Ａ）、図８（Ａ）、図９（Ａ）参照）。一方、逆三角パネル６の右面部６ｃは左面部６ｂよりも後方にまで延び、その後端には前面部６ａの後方に回り込む背面部６ｄが設けられている（図６（Ａ）、図７（Ａ）、図９（Ａ）参照）。
【００３０】
そして、図６（Ａ）及び（Ｂ）に示すように、第１山パネル２Ａの上部左側には、三角パネル４、四角パネル５及び逆三角パネル６の各上部が固定される固定部材１０が設けられている。なお、図６（Ａ）及び（Ｂ）において、１１は三角パネル４の裏面に設けられた裏板である。
【００３１】
一方、図６（Ａ）及び（Ｂ）に示すように、スラブ１の下面部に埋め込まれた埋込ファスナー１２に、締結具１３によってファスナー１４が位置調整可能に連結されている。ここで、ファスナー１４は、水平方向に延びる上板部１５と、上板部１５の前縁から下方に向かって延びる垂直板部１６と、垂直板部１６の下縁から後側に向かって水平方向に延びる下板部１７とを有し、下板部１７の一部は平面視において上板部１５の側方に突出する突出部分１８として形成されている。
【００３２】
そして、固定部材１０は、締結具１９によってファスナー１４の垂直板部１６に連結され、垂直板部１６において締結具１９に貫かれる部分を上下方向に延びる長孔２０としてあることにより、固定部材１０は上下方向に位置調整可能となっている。
【００３３】
また、固定部材１０の裏面には、自重受け兼高さ調整ボルト２１を支持するブラケット２２が設けられており、このボルト２１の下端はファスナー１４の突出部分１８に当接するように構成されている。従って、ボルト２１を例えばレンチ等の適宜の工具で回動することで、固定部材１０の高さ調整を行うことができる。
【００３４】
図７（Ａ）及び（Ｂ）に示すように、第１山パネル２Ａの上部右側には、逆三角パネル６の上部が固定される固定部材２３が設けられている。なお、図７（Ａ）及び（Ｂ）において、２４は逆三角パネル６の裏面に設けられた裏板である。
【００３５】
一方、図７（Ａ）及び（Ｂ）に示すように、スラブ１の下面部に埋め込まれた埋込ファスナー１２に、締結具１３によってファスナー２５が位置調整可能に連結されている。ここで、ファスナー２５は、水平方向に延びる上板部２６と、上板部２６の前縁から下方に向かって延びる垂直板部２７と、垂直板部２７の下縁から前側に向かって水平方向に延びる下板部２８とを有している。
【００３６】
そして、固定部材２３は、締結具２９によってファスナー２５の垂直板部２７に連結され、垂直板部２７において締結具２９に貫かれる部分を上下方向に延びる長孔３０としてあることにより、固定部材２３は上下方向に位置調整可能となっている。
【００３７】
また、固定部材２３は、自重受け兼高さ調整ボルト２１を支持し、このボルト２１の下端はファスナー２５の下板部２８に当接するように構成されている。従って、ボルト２１を例えばレンチ等の適宜の工具で回動することで、固定部材２３の高さ調整を行うことができる。
【００３８】
図８（Ａ）及び（Ｂ）に示すように、第１山パネル２Ａの下部左側には、三角パネル４の下部が固定される固定部材３１が設けられている。なお、図８（Ａ）及び（Ｂ）において、３２は三角パネル４の裏面に設けられた裏板である。
【００３９】
一方、図８（Ａ）及び（Ｂ）に示すように、スラブ１の上面部にはダボピン３３の一部が埋め込まれている。
【００４０】
これに対して、固定部材３１には、ダボピン３３に対応するダボ穴３４が設けられており、固定部材３１はダボピン３３に沿って上下方向に摺動可能となっている。
【００４１】
同様にして、図９（Ａ）及び（Ｂ）に示すように、固定部材３５、裏板３６、ダボピン３３及びダボ穴３４が第１山パネル２Ａの下部右側にも設けられている。
【００４２】
さらに、以上は第１山パネル２Ａの支持構造について述べたが、第２山パネル２Ｂ、第１谷パネル２Ｃ及び第２谷パネル２Ｄの支持構造も同様であり、説明が重複するため、図１０〜図１３に第２山パネル２Ｂの支持構造を、図１４〜図１７に第１谷パネル２Ｃの支持構造を、図１８〜図２１に第２谷パネル２Ｄの支持構造をそれぞれ示すにとどめる。
【００４３】
以上説明したように、本実施形態では、その長手方向に沿って延びる折曲部分を複数有する金属板（三枚のパネル４，５，６）を組み合わせて外装パネル２を構成し、外装パネル２の強度を確保している。そのため、本実施例では階高（上下方向に隣り合うスラブ１間距離）が４７００ｍｍあるが、スラブ１に設けた支持構造のみによって外装パネル２を支持することが可能となっている。従って、上下方向にわたって延びる下地の骨組が不要となり、これにより、建物への荷重軽減及び施工性向上を図ることができる。
【００４４】
また、本実施形態では、横断面形状が外方に凸の外装面を構成する外装パネル（第１山パネル２Ａ、第２山パネル２Ｂ）と、横断面形状が外方に凹の外装面を構成する外装パネル（第１谷パネル２Ｃ、第２谷パネル２Ｄ）とを組み合わせて用いるのであり、各外装パネル２は、平面視においてその上部（上辺）と下部（下辺）が相互に異なる方向に向いているが、外装面の凹凸に合うように、スラブ１の鼻先に凹凸（凹部７及び凸部８）を設けてあるので、従来のような縦横に延びる下地を不要とすることができるだけでなく、図６〜図２１に示すように、外装パネル２の支持構造の複雑化を抑え、ひいては簡略化を図ることができ、低コスト化も期待することができる。
【００４５】
さらに、本実施形態では、図１（Ａ）に示すように、外装パネル２によって覆われない縦長の領域３５が千鳥状に設けられることになり、領域３５に例えばプランター３６を配置することができる。そして、この場合、プランター３６にて生育させる植物として上方に延びていくものを採用することにより、領域３５が横長である場合に比べ、少数・小型のプランター３６で効率よく緑化や装飾性の向上を図ることができる。しかも、日射光は、領域３５のみならず外装パネル２を構成するパンチングメタルのパンチング穴も通過し、パンチング穴は夜露も導き易いので、緑化に優れた環境を創出することが可能であり、プランター３６による植物の旺盛な生育を期待することができる。
【００４６】
その上、本実施形態では、建物の外壁と外装パネル２の間に設けられたメンテナンス用のバルコニー（避難用バルコニーに兼用可能）に照明装置を設置することにより、外装パネル２を構成するパンチングメタルのパンチング穴と、領域３５とをも利用して多種多様なライトアップを実現することも可能となる。ここで、外装パネル２の４種のパネル２Ａ〜２Ｄのうち、第１山パネル２Ａと第２谷パネル２Ｄは、全体として、下方ほど前（外）側に突出し、第２山パネル２Ｂ及び第１谷パネル２Ｃは、全体として、下方ほど後（内）側に後退しているのであり、こうした勾配やスラブ１の鼻先の凹凸等をも利用することで、各パネル２Ａ〜２Ｄを内外からライトアップすることが容易であり、内外でライトアップの仕方を変化させるといったことも可能である。
【００４７】
しかも、外装パネル２を構成するパンチングメタルのパンチング穴は、上述したようなプランター３６による植物の生育やライトアップ演出の向上に寄与するのみならず、天空光（日射光、月光）を導くのでメンテナンス上の安心感も増大させる効果を期待することができる。
【００４８】
また、各外装パネル２の上辺及び下辺は勾配を有しているので、水切り性がよく、雨だれによる汚れを低減することができる。
【００４９】
また、本実施形態の外装パネル２は、外壁が壁であるか開口部であるかを問わずその外側に設置することが可能であるので、建物内部のプランの自由度を上げつつ、高い意匠性をも持たせることができる。
【００５０】
なお、本発明は、上記の実施の形態に何ら限定されず、本発明の要旨を逸脱しない範囲において種々に変形して実施し得ることは勿論である。例えば、以下のような変形例を挙げることができる。
【００５１】
本発明は、高層建築物以外にも適用可能である。
【００５２】
上記実施形態の外装パネル２は上下方向に隣り合うスラブ１を繋ぐように延びているが、これに限らず、外装パネル２は上下方向に離れたスラブ１を繋ぐように延びていればよく、例えば、上下方向に隣り合っておらず、他のスラブ１を一つ以上挟んで上下方向に離れたスラブ１を繋ぐように外装パネル２が延びていてもよい。
【００５３】
上記実施形態の外装パネル２は三角パネル４、四角パネル５及び逆三角パネル６によって構成されているが、これに限らず、外装パネル２は、１枚のパネルからなっていてもよいし、２枚又は４枚以上のパネルからなっていてもよい。また、外装パネル２の全体形状も正面視平行四辺形状に限らず、種々に変更可能であり、各パネル４，５，６の形状も同様に種々に変更可能である。
【００５４】
図８（Ａ）及び（Ｂ）、図９（Ａ）及び（Ｂ）には、ダボピン３３をスラブ１側に設け、ダボ穴３４を外装パネル２側に設けているが、これを逆にしてもよい。
【００５５】
図６〜図９に示す第１山パネル２Ａの支持構造を、例えば、図２２〜図２５に示すように変形してもよい。
【００５６】
この変形例では、図２２（Ｂ）を図６（Ｂ）と対比すれば明らかなように、裏板１１を上下方向に短くしてある。また、図２２（Ａ）及び（Ｂ）に示すように、突出部分１８を含む下板部１７が垂直板部１６の下端から上板部１５と逆方向に向かって、かつ、垂直板部１６の右部のみから延びるようにすると共に、ブラケット２２を無くし、固定部材１０において突出部分１８の上方に位置する部分が自重受け兼高さ調整ボルト２１を支持するように構成してある。さらに、ファスナー１４の上板部１５の右縁と垂直板部１６の右縁とにわたって補強板１４Ａが溶接されている。
【００５７】
また、図２３（Ａ）及び（Ｂ）に示す例と、図７（Ａ）及び（Ｂ）に示す例とでは、固定部材２３、裏板２４等の形状が異なり、図２４（Ａ）及び（Ｂ）に示す例と、図８（Ａ）及び（Ｂ）に示す例とでは、固定部材３１、裏板３２等の形状が異なり、図２５（Ａ）及び（Ｂ）に示す例と、図９（Ａ）及び（Ｂ）に示す例とでは、固定部材３５、裏板３６等の形状が異なっている。
【００５８】
このように、図２２〜図２５に示す変形例は、図６〜図９に示す例と構成が異なっているが、図６〜図９に示す例において各部材が発揮する機能は、図２２〜図２５に示す各部材の何れかによって担われているのであり、その説明については重複を避けるため省略する。また、図２２〜図２５には第１山パネル２Ａの支持構造の変形例を示しているが、第２山パネル２Ｂ、第１谷パネル３Ｃ、第２谷パネル３Ｄの各支持構造も同様に変形することができる。
【００５９】
なお、本明細書で挙げた変形例どうしを適宜組み合わせてもよいことはいうまでもない。
【符号の説明】
【００６０】
１    スラブ
２    外装パネル
２Ａ  第１山パネル
２Ｂ  第２山パネル
２Ｃ  第１谷パネル
２Ｄ  第２谷パネル
３    スリット
４    三角パネル
４ａ  前面部
４ｂ  左面部
４ｃ  右面部
４ｄ  背面部
５    四角パネル
５ａ  前面部
５ｂ  左面部
５ｃ  右面部
６    逆三角パネル
６ａ  前面部
６ｂ  左面部
６ｃ  右面部
６ｄ  背面部
７    凹部
８    凸部
９    締結具
１０    固定部材
１１    裏板
１２    埋込ファスナー
１３    締結具
１４    ファスナー
１５    上板部
１６    垂直板部
１７    下板部
１８    突出部分
１９    締結具
２０    長孔
２１    自重受け兼高さ調整ボルト
２２    ブラケット
２３    固定部材
２４    裏板
２５    ファスナー
２６    上板部
２７    垂直板部
２８    下板部
２９    締結具
３０    長孔
３１    固定部材
３２    裏板
３３    ダボピン
３４    ダボ穴
３５    固定部材
３６    裏板
【図１】
0006712479.tif 000002
【図２】
0006712479.tif 000003
【図３】
0006712479.tif 000004
【図４】
0006712479.tif 000005
【図５】
0006712479.tif 000006
【図６】
0006712479.tif 000007
【図７】
0006712479.tif 000008
【図８】
0006712479.tif 000009
【図９】
0006712479.tif 000010
【図１０】
0006712479.tif 000011
【図１１】
0006712479.tif 000012
【図１２】
0006712479.tif 000013
【図１３】
0006712479.tif 000014
【図１４】
0006712479.tif 000015
【図１５】
0006712479.tif 000016
【図１６】
0006712479.tif 000017
【図１７】
0006712479.tif 000018
【図１８】
0006712479.tif 000019
【図１９】
0006712479.tif 000020
【図２０】
0006712479.tif 000021
【図２１】
0006712479.tif 000022
【図２２】
0006712479.tif 000023
【図２３】
0006712479.tif 000024
【図２４】
0006712479.tif 000025
【図２５】
0006712479.tif 000026